(57)【要約】【課題】本発明はワイピングサンプル採集・サンプル導入装置、被検体識別機器、並びにゲート機器を開示している。【解決手段】ワイピングサンプル採集・サンプル導入装置は、物質を脱着する熱脱着部と、第一輪、第二輪、及び、第一輪と第二輪との間を第１の方向に沿って移動するワイピングコンベヤを含み、被検体上の物質をワイピングするワイピングサンプル採集部と、第１の方向にほぼ垂直である第２の方向に沿って被検体を搬送するように配置される被検体載置コンベヤを含むことにより、被検体を搬送する過程において、被検体が前記ワイピングコンベヤに接触でき、前記ワイピングコンベヤが被検体の表面をワイピングする被検体搬送部とを備える。【選択図】図１
2018112549.tif 000002
【特許請求の範囲】
【請求項１】
送られてきたサンプルを脱着するように配置される熱脱着部と、
それぞれの回転軸周りに回動できる第一輪、第二輪、及び、第一輪と第二輪に引っ張られ、第一輪と第二輪の回動によって第一輪と第二輪との間を第１の方向に沿って移動するワイピングコンベヤを含むワイピングサンプル採集部であって、前記ワイピングコンベヤが移動して前記熱脱着部を通過することにより、前記ワイピングコンベヤが前記熱脱着部に入ったとき、熱脱着部が前記ワイピングコンベヤの上のサンプルを脱着できるワイピングサンプル採集部と、
第１の方向にほぼ垂直である第２の方向に沿って被検体を搬送するように配置される被検体載置コンベヤを含むことにより、被検体を搬送する過程において、被検体が前記ワイピングコンベヤに接触でき、前記ワイピングコンベヤが被検体の表面をワイピングする被検体搬送部と
を備えるワイピングサンプル採集・サンプル導入装置。
【請求項２】
前記被検体載置コンベヤには、第２の方向に被検体を搬送する過程において、被検体が第２の方向に反する第３の方向に沿って運動することを阻止するための少なくとも１つの被検体阻止部が設けられる、請求項１に記載のワイピングサンプル採集・サンプル導入装置。
【請求項３】
前記被検体載置コンベヤには、前記被検体載置コンベヤに配置されて予定の深さと形状を有する少なくとも１つの被検体溝が設けられることにより、被検体は前記少なくとも１つの被検体溝のうちの１つに配置されることができ、被検体載置コンベヤの搬送過程において、被検体の一側の表面は前記ワイピングコンベヤにワイピングされ得るとともに、前記少なくとも１つの被検体溝のうちの１つの側壁は前記被検体阻止部として、前記被検体が第３の方向に沿って移動することを阻止できる、請求項２に記載のワイピングサンプル採集・サンプル導入装置。
【請求項４】
前記少なくとも１つの被検体阻止部が少なくとも１つの凸部であることにより、被検体載置コンベヤが被検体を搬送する過程において、被検体の一側の表面は前記ワイピングコンベヤにワイピングされ得るとともに、前記少なくとも１つの凸部は、前記少なくとも１つの被検体阻止部として、前記被検体が第３の方向に沿って移動することを阻止できる、請求項２に記載のワイピングサンプル採集・サンプル導入装置。
【請求項５】
ワイピングサンプル採集部と熱脱着部は、被検体載置コンベヤの上側に配置される作動室に配置され、かつ、前記作動室にはワイピング開口部が設けられ、前記ワイピング開口部は被検体載置コンベヤの上面に向かうことにより、前記被検体載置コンベヤに配置される被検体が前記ワイピングコンベヤに接触でき、前記ワイピングコンベヤが被検体の表面をワイピングし、
前記作動室はワイピング開口封止部を含み、前記ワイピング開口封止部はワイピング開口部周りに配置されることにより、ワイピング開口部が被検体載置コンベヤに近づくとき、被検体載置コンベヤに接触することで外部物質がワイピング開口部に入ることを阻止する、請求項１〜４のいずれか１項に記載のワイピングサンプル採集・サンプル導入装置。
【請求項６】
前記ワイピングサンプル採集部と熱脱着部は、被検体載置コンベヤの下側に配置される作動室に配置され、かつ、前記作動室には、被検体載置コンベヤの下面に向かうワイピング開口部が設けられ、かつ、前記被検体載置コンベヤは、被検体阻止部に近い部位に設けられる対応の被検体開口を複数含み、前記被検体開口は、被検体が被検体載置コンベヤ上にあるとき、前記ワイピングコンベヤが前記被検体開口を介して前記被検体載置コンベヤに配置される被検体に接触して被検体の下面をワイピングできるように配置され、
前記作動室はワイピング開口封止部を含み、前記ワイピング開口封止部はワイピング開口部周りに配置されることにより、ワイピング開口部が被検体載置コンベヤに近づくとき、被検体載置コンベヤに接触することで、ワイピングされたサンプルが外部へ漏れることを阻止するとともに、所定圧力のキャリアガスを封入してサンプルを下流の部品に持ち込むように作動室の気密性を保持する、請求項１〜４のいずれか１項に記載のワイピングサンプル採集・サンプル導入装置。
【請求項７】
前記ワイピングサンプル採集部及び熱脱着部は前記作動室に収納されて外部環境と隔離され、かつ、前記ワイピングサンプル採集・サンプル導入装置は、前記作動室内にあり作動室内のガスを濾過や清掃するためのガス濾過装置を含む、請求項５又は６に記載のワイピングサンプル採集・サンプル導入装置。
【請求項８】
熱脱着部は熱脱着室を含み、前記熱脱着室は、前記ワイピングコンベヤが前記熱脱着室に入るためのワイピングコンベヤ入口と、前記ワイピングコンベヤが前記熱脱着室から離れるためのワイピングコンベヤ出口と、熱脱着室内のサンプルを導出するためのサンプル導出口とを含む、請求項１〜７のいずれか１項に記載のワイピングサンプル採集・サンプル導入装置。
【請求項９】
前記熱脱着室は、ワイピングコンベヤ出口に配置され、ワイピングコンベヤ出口を封止して熱脱着室の気密性を保持するためのワイピングコンベヤ出口封止材を含むことにより、所定圧力のキャリアガスを封入して脱着のサンプルを下流の部品に持ち込むとともに、ワイピングコンベヤ出口を通過する前記ワイピングコンベヤを清掃する、請求項８に記載のワイピングサンプル採集・サンプル導入装置。
【請求項１０】
ワイピングコンベヤ出口封止材はコルゲート状ソフトジャケットである、請求項９に記載のワイピングサンプル採集・サンプル導入装置。
【請求項１１】
前記熱脱着部は、熱脱着部内部温度を所望の温度に制御するための温度制御装置を含み、前記温度制御装置は、前記熱脱着室内に設けられる加熱装置と、
温度を検出するための温度センサと、熱脱着室内の熱を隔離するための保温層とを含む、請求項８〜１０のいずれか１項に記載のワイピングサンプル採集・サンプル導入装置。
【請求項１２】
被検体の情報を読取するための被検体識別機器であって、
請求項１〜１１のいずれか１項に記載のワイピングサンプル採集・サンプル導入装置をさらに含み、
被検体が被検体載置コンベヤに配置されて搬送されるとき、被検体識別機器が被検体の情報を読取するのと同時やその後に、ワイピングサンプル採集・サンプル導入装置が被検体表面のサンプルをワイピングして取得するように配置される被検体識別機器。
【請求項１３】
請求項１２に記載の被検体識別機器を含むゲート機器。
【発明の詳細な説明】
【技術分野】
【０００１】
本発明は安全検査技術分野に関し、特にワイピングサンプル採集・サンプル導入装置、被検体識別機器、並びにゲート機器に関する。
【背景技術】
【０００２】
テロ活動及び麻薬密輸を防止するために、現在、痕跡量の麻薬や爆発物を検出する多種の技術が発展している。検出に合わせるために、カードまたは証明書に対して検出を行う効率的で迅速なサンプル採集装置は求められている。
【発明の概要】
【発明が解決しようとする課題】
【０００３】
本発明の一態様は、送られてきたサンプルを脱着し、脱着されたサンプルを下流の部品、例えば分析検出部品に持ち込むように配置される熱脱着部と、それぞれの回転軸周りに回動できる第一輪、第二輪、及び、第一輪と第二輪に引っ張られ、第一輪と第二輪の回動によって第一輪と第二輪との間を第１の方向に沿って移動するワイピングコンベヤを含むワイピングサンプル採集部であって、前記ワイピングコンベヤが移動して前記熱脱着部を通過することにより、前記ワイピングコンベヤが前記熱脱着部に入ったとき、熱脱着部が前記ワイピングコンベヤ上のサンプルを脱着できるワイピングサンプル採集部と、第１の方向にほぼ垂直である第２の方向に沿って被検体を搬送するように配置される被検体載置コンベヤを含むことにより、被検体を搬送する過程において、被検体が前記ワイピングコンベヤに接触でき、前記ワイピングコンベヤが被検体の表面をワイピングする被検体搬送部とを備えるワイピングサンプル採集・サンプル導入装置を提供する。
【課題を解決するための手段】
【０００４】
一の実施例において、前記被検体載置コンベヤには、第２の方向に被検体を搬送する過程において、被検体が第２の方向に反する第３の方向に沿って運動することを阻止するための少なくとも１つの被検体阻止部が設けられる。
【０００５】
一の実施例において、前記被検体載置コンベヤには、前記被検体載置コンベヤに配置されて予定の深さと形状を有する少なくとも１つの被検体溝が設けられることにより、被検体は前記少なくとも１つの被検体溝のうちの１つに配置されることができ、被検体載置コンベヤの搬送過程において、被検体の一側の表面は前記ワイピングコンベヤにワイピングされ得るとともに、前記少なくとも１つの被検体溝のうちの１つの側壁は前記被検体阻止部として、前記被検体が第３の方向に沿って移動することを阻止できる。
【０００６】
一の実施例において、前記少なくとも１つの被検体阻止部が少なくとも１つの凸部であることにより、被検体載置コンベヤが被検体を搬送する過程において、被検体の一側の表面は前記ワイピングコンベヤにワイピングされ得るとともに、前記少なくとも１つの凸部は、前記少なくとも１つの被検体阻止部として、前記被検体が第３の方向に沿って移動することを阻止できる。
【０００７】
一の実施例において、ワイピングサンプル採集部と熱脱着部は、被検体載置コンベヤの上側に配置される作動室に配置され、かつ、前記作動室にはワイピング開口部が設けられ、前記ワイピング開口部は被検体載置コンベヤの上面に向かうことにより、前記被検体載置コンベヤに配置される被検体が前記ワイピングコンベヤに接触でき、前記ワイピングコンベヤが被検体の表面をワイピングし、前記作動室はワイピング開口封止部を含み、前記ワイピング開口封止部はワイピング開口部周りに配置されることにより、ワイピング開口部が被検体載置コンベヤに近づくとき、被検体載置コンベヤに接触することで外部物質がワイピング開口部に入ることを阻止する。
【０００８】
一の実施例において、前記ワイピングサンプル採集部と熱脱着部は、被検体載置コンベヤの下側に配置される作動室に配置され、かつ、前記作動室には、被検体載置コンベヤの下面に向かうワイピング開口部が設けられ、かつ、前記被検体載置コンベヤは、被検体阻止部に近い部位に設けられる対応の被検体開口を複数含み、前記被検体開口は、被検体が被検体載置コンベヤ上にあるとき、前記ワイピングコンベヤが前記被検体開口を介して前記被検体載置コンベヤに配置される被検体に接触して被検体の下面をワイピングできるようされ、前記作動室はワイピング開口封止部を含み、前記ワイピング開口封止部はワイピング開口部周りに配置されることにより、ワイピング開口部が被検体載置コンベヤに近づくとき、被検体載置コンベヤに接触することで、ワイピングされたサンプルが外部へ漏れることを阻止するとともに、所定圧力のキャリアガスを封入してサンプルを下流の部品、例えばクロマトグラフィー又は他の分析部品に持ち込むように作動室の気密性を保持する。
【０００９】
一の実施例において、前記ワイピングサンプル採集部及び熱脱着部は前記作動室に収納されて外部環境と隔離され、かつ、前記ワイピングサンプル採集・サンプル導入装置は、前記作動室内にあり作動室内のガスを濾過や清掃するためのガス濾過装置を含む。
【００１０】
一の実施例において、熱脱着部は熱脱着室を含み、前記熱脱着室は、前記ワイピングコンベヤが前記熱脱着室に入るためのワイピングコンベヤ入口と、前記ワイピングコンベヤが前記熱脱着室から離れるためのワイピングコンベヤ出口と、熱脱着室内のサンプルを導出するためのサンプル導出口とを含む。
【００１１】
一の実施例において、前記熱脱着部は、熱脱着部内部温度を所望の温度に制御するための温度制御装置を含み、前記温度制御装置は、前記熱脱着室内に設けられる加熱装置と、温度を検出するための温度センサと、熱脱着室内の熱を隔離するための保温層とを含む。  
【００１２】
一の実施例において、前記熱脱着室は、ワイピングコンベヤ出口に配置され、ワイピングコンベヤ出口を封止して熱脱着室の気密性を保持するためのワイピングコンベヤ出口封止材を含むことにより、所定圧力のキャリアガスを封入して脱着のサンプルを下流の部品、例えばクロマトグラフィーまたは他の分析部品に持ち込むことを実現するとともに、ワイピングコンベヤ出口を通過する前記ワイピングコンベヤを清掃する。
【００１３】
一の実施例において、ワイピングコンベヤ出口封止材はコルゲート状ソフトジャケットである。
【００１４】
本発明の他の一態様は、被検体の情報を読取するための被検体識別機器であって、上記のワイピングサンプル採集・サンプル導入装置をさらに含み、被検体が被検体載置コンベヤに配置されて搬送されるとき、被検体識別機器が被検に配置体の情報を読取するのと同時やその後に、ワイピングサンプル採集・サンプル導入装置が被検体表面のサンプルをワイピングして取得するように配置される被検体識別機器を提供する。
【００１５】
本発明のさらに他の一態様は上記被検体識別機器を含むゲート機器を提供する。
【図面の簡単な説明】
【００１６】
【図１】本発明の一の実施例によるワイピングサンプル採集・サンプル導入装置の模式図である。
【図２】本発明の一の実施例によるワイピングサンプル採集・サンプル導入装置のカードまたは証明書載置コンベヤの断面模式図である。
【図３】本発明の一の実施例によるワイピングサンプル採集・サンプル導入装置のカードまたは証明書載置コンベヤの平面模式図である。
【図４】本発明の別の一の実施例によるワイピングサンプル採集・サンプル導入装置の模式図である。
【図５】本発明の別の一の実施例によるワイピングサンプル採集・サンプル導入装置のカードまたは証明書載置コンベヤの断面模式図である。
【図６】本発明の別の一の実施例によるワイピングサンプル採集・サンプル導入装置のカードまたは証明書載置コンベヤの平面模式図である。
【発明を実施するための形態】
【００１７】
本発明に対して様々な変更や置き換えを行うことができるが、その具体的な実施例を例示の形で図面に示し、かつ明細書で詳細に説明する。しかしながら、理解できるように、添付された図面及び詳細な説明は本発明を開示の具体的な形態に限定するためのものではなく、逆に、添付された請求の範囲で限定された本発明の精神及び範囲に入るあらゆる変更、同等形式、置き換え方式は保護の範囲に含まれるものである。図面は模式的なものであるため、実際寸法に比例して描画されたものではない。本発明で使用した「第１」、「第２」及び「第３」などの専門用語は異なる部品を区別するためのものであり、重要性、順序などの意味を表すものではない。
【００１８】
以下、図面を参照しながら本発明による複数の実施例を説明する。
【００１９】
ワイピングサンプル採集・サンプル導入装置は、送られてきたサンプルを脱着するように配置される熱脱着部と、それぞれの回転軸周りに回動できる第一輪１３、第二輪１４、及び、第一輪１３と第二輪１４に引っ張られ、第一輪１３と第二輪１４の回動によって第一輪１３と第二輪１４との間を第１の方向に沿って移動するワイピングコンベヤ１５を含むワイピングサンプル採集部であって、前記ワイピングコンベヤ１５が移動して前記熱脱着部を通過することにより、前記ワイピングコンベヤ１５が前記熱脱着部に入ったとき、熱脱着部が前記ワイピングコンベヤ１５上のサンプルを脱着できるワイピングサンプル採集部と、第１の方向にほぼ垂直である第２の方向に沿ってカードまたは証明書８を搬送するように配置されるカードまたは証明書載置コンベヤ５を含むことにより、カードまたは証明書８を搬送する過程において、カードまたは証明書８が前記ワイピングコンベヤ１５に接触でき、前記ワイピングコンベヤ１５がカードまたは証明書８の表面をワイピングするカードまたは証明書搬送部とを備える。カードまたは証明書載置コンベヤ５としては、シリコン・フッ素ゴムなどの弾性を有するとともに、高温でガスを揮発しない材料を用いてもよい。
【００２０】
カードまたは証明書搬送部は、例えば図１に示すように、輪１と輪２との２つの輪を含んでもよく、カードまたは証明書載置コンベヤ５は輪１と２に引っ張られることにより、カードまたは証明書８がワイピングされる時に十分な支持力を有し、かつ、輪１と２は同期回転してカードまたは証明書載置コンベヤ５が時計回りに搬送するようにする。なお、カードまたは証明書載置コンベヤ５は反時計回りに搬送することもできる。
【００２１】
図１に示す実施例において、第１の方向は垂直方向であり、第２の方向は水平方向である。具体的には、第２の方向は水平右向き方向である。
【００２２】
図１に示す実施例において、前記カードまたは証明書載置コンベヤ５には、第２の方向にカードまたは証明書８を搬送する過程において、カードまたは証明書８が第２の方向に反する第３の方向に沿って運動することを阻止するための少なくとも１つのカードまたは証明書阻止部が間隔を空けて設けられる。第３の方向は水平左向き方向である。
【００２３】
一の実施例において、前記カードまたは証明書載置コンベヤ５には、前記カードまたは証明書載置コンベヤ５に配置されて予定の深さと形状を有する少なくとも１つのカードまたは証明書溝６が設けられることにより、カードまたは証明書８は前記少なくとも１つのカードまたは証明書溝６のうちの１つに配置されることができ、カードまたは証明書載置コンベヤ５の搬送過程において、カードまたは証明書８の一側の表面が前記ワイピングコンベヤ１５にワイピングされ得るとともに、前記少なくとも１つのカードまたは証明書溝６のうちの１つの側壁は前記カードまたは証明書阻止部として、前記カードまたは証明書８が第３の方向に沿って移動することを阻止できる。例えば、図１に示す実施例において、カードまたは証明書溝６は相互間隔を空けてカードまたは証明書載置コンベヤ５上に分布され、カードまたは証明書溝６は、カードまたは証明書８がカードまたは証明書溝６内に配置可能であり、カードまたは証明書８の上面がカードまたは証明書載置コンベヤ５の上面と面一やカードまたは証明書載置コンベヤ５の上面よりもやや高いような寸法に形成されている。図２はカードまたは証明書溝６の断面図を示し、この構造では、カードまたは証明書８の上面は実際にカードまたは証明書載置コンベヤ５の上面よりも低いが、このような状況でも、ワイピングコンベヤ１５がカードまたは証明書８の上面をワイピングすることに影響しない。図３はカードまたは証明書８がカードまたは証明書載置コンベヤ５上に配置される平面図である。カードまたは証明書載置コンベヤ５が図１における矢印方向に沿って運動すると、カードまたは証明書８はまずカードまたは証明書載置コンベヤ５の左側のカードまたは証明書溝６内に配置され、カードまたは証明書載置コンベヤ５はカードまたは証明書８を右に搬送する。それと同時に、ワイピングサンプル採集部のワイピングコンベヤ１５は図１における矢印方向に沿って運動する。知られるように、ワイピングサンプル採集部のワイピングコンベヤ１５は図１における中央位置でカードまたは証明書載置コンベヤ５上のカードまたは証明書８に接触し、ワイピングコンベヤ１５はカードまたは証明書８との接触点での速度が左向きの水平成分を有し、カードまたは証明書載置コンベヤ５は接触点での速度が右向きの水平成分を有する。これにより、ワイピングコンベヤ１５はカードまたは証明書の上面をワイピングする。理解できるように、ワイピングコンベヤ１５の速度の左向きの水平成分は必要に応じて設置されることができる。カードまたは証明書溝６が設けられている実施例において、実際に、接触点においてワイピングコンベヤ１５の速度の水平成分とカードまたは証明書載置コンベヤ５の速度の水平成分に差があれば、ワイピングコンベヤ１５はカードまたは証明書８の上面をワイピングすることができる。かつ、この差が大きくなると、ワイピングする効果が改善するようになる。
【００２４】
カードまたは証明書載置コンベヤ５及びワイピングコンベヤ１５を制御することで、カードまたは証明書８をワイピングする時間及びワイピングコンベヤ１５上の物質の熱脱着時間を制御することができる。例えば、一の実施例において、カードまたは証明書載置コンベヤ５の速度を０．２ｍ／ｓとし、ワイピングコンベヤ１５の速度を１ｍ／ｓとし、カードまたは証明書８の長さを１００ｍｍとすると、ワイピングコンベヤ１５はカードまたは証明書８に対するワイピング速度（相対速度）が１．２ｍ／ｓであり、カードまたは証明書８に対するワイピングを完成する時間は８．３ｍｓであり、１回ワイピングに対する脱着を完成する時間は１０ｍｓであり、この脱着時間は瞬時と考えられるため、慣例的なガスクロマトグラフィーに必要とされる予備濃縮部品を省略することができ、ガスクロマトグラフィーカラムに直接に接続することができ、六方弁サンプル導入器に接続してからガスクロマトグラフィーカラム、ＩＭＳ又は他の検出器に接続して（このような場合では封止部への気密性要求を低下できる）物質の分析を行うこともできる。一の実施例において、カードまたは証明書入れ領域とカードまたは証明書出し領域との距離は４００ｍｍであり、１つのカードまたは証明書８に対するサンプル採集及び搬送は２ｓだけかかり、通関検査速度は３０人／ｍｉｎにもなり、したがって、人の流れの速度に影響せずに通関者の一人一人に対してサンプル検出を行うことができる。
【００２５】
一の実施例において、前記少なくとも１つのカードまたは証明書阻止部が少なくとも１つの凸部であることにより、カードまたは証明書載置コンベヤ５がカードまたは証明書８を搬送する過程において、カードまたは証明書８の一側の表面が前記ワイピングコンベヤ１５にワイピングされ得るとともに、前記少なくとも１つの凸部は、前記少なくとも１つのカードまたは証明書阻止部として、前記カードまたは証明書８が第３の方向に沿って移動することを阻止できる。
【００２６】
本発明のワイピングサンプル採集・サンプル導入装置は自動ワイピング式サンプル採集を用い、直接に吸気してサンプル採集する装置よりも、半揮散性を有するもの及び顆粒物質に対するサンプル採集に適し、効率が高く、検出器の最低検出限界への技術要求を効果的に下げられ、検出感度を向上させ、麻薬や爆発物類物質を携帯する税関通過者に対する安全検査により適切である。
【００２７】
一の実施例において、図１に示すように、ワイピングサンプル採集部と熱脱着部は、カードまたは証明書載置コンベヤ５の上側に配置される作動室２０に配置される。作動室２０は、例えば金属で形成されるケースで構成され又は限定されることができる。前記作動室２０には、ワイピング開口部が設けられ、前記ワイピング開口部はカードまたは証明書載置コンベヤ５の上面に向かうことにより、前記カードまたは証明書載置コンベヤ５に配置されるカードまたは証明書８が前記ワイピングコンベヤ１５に接触でき、前記ワイピングコンベヤ１５がカードまたは証明書８の表面をワイピングする。作動室２０はワイピング開口封止部１０を含み、ワイピング開口封止部１０はワイピング開口部周りに配置されることにより、ワイピング開口部がカードまたは証明書載置コンベヤ５に近づくとき、カードまたは証明書載置コンベヤ５に接触することで、ワイピングされたサンプルが外部へ漏れることを阻止する。作動室２０のワイピング開口封止部１０を設置し、作動室２０内でほぼ封止している空間を形成することにより、ワイピングされたサンプルが外部へ漏れることを阻止し、作動室の気密性を保持することで所定圧力のキャリアガスを封入してサンプルを下流の部品、例えばクロマトグラフィー又は他の分析部品に持ち込むことを実現する。図１に示すように、作動室２０内に２つの輪が設けられ、ワイピングコンベヤ１５は輪に引っ張られて運動する。ワイピングコンベヤ１５は熱脱着室１６を通過する。作動室２０全体はカードまたは証明書載置コンベヤ５上に配置される。
【００２８】
別の一の実施例において、例えば図４に示す構造では、ワイピングサンプル採集部と熱脱着部は、カードまたは証明書載置コンベヤ５の下側に配置される作動室２０内に配置される。作動室２０には、カードまたは証明書載置コンベヤ５の下面に向かうワイピング開口部が設けられる。本実施例において、カードまたは証明書載置コンベヤ５は、カードまたは証明書阻止部に近い部位に設けられる対応のカードまたは証明書開口を複数含み、図５及び図６は、中央部位にカードまたは証明書開口が設けられるカードまたは証明書載置コンベヤ５を示し、図５はカードまたは証明書載置コンベヤ５のカードまたは証明書溝６の断面図であり、図６はカードまたは証明書載置コンベヤ５の平面図である。カードまたは証明書開口は、カードまたは証明書８がカードまたは証明書載置コンベヤ５上にあるとき、前記ワイピングコンベヤ１５が前記カードまたは証明書開口を介して前記カードまたは証明書載置コンベヤ５に配置されるカードまたは証明書に接触してカードまたは証明書の下面をワイピングできるように配置される。カードまたは証明書開口の寸法はワイピングコンベヤ１５の寸法に基づいて設置されることができる。例えば、ワイピングコンベヤ１５の幅とカードまたは証明書の幅とは近くてもよく、カードまたは証明書開口の寸法はカードまたは証明書の寸法よりも小さい。作動室２０はワイピング開口封止部１０を含み、ワイピング開口封止部１０はワイピング開口部周りに配置されることにより、ワイピング開口部がカードまたは証明書載置コンベヤ５に近づくとき、カードまたは証明書載置コンベヤ５に接触することで、ワイピングされたサンプルが外部へ漏れることを阻止し、作動室２０の気密性を保持し、所定圧力のキャリアガスを封入して脱着のサンプルをサンプル出口２１から下流に接続されるクロマトグラフィー又は他の分析部品に持ち込むことを実現することができる。好ましくは、図４に示す構造では、カードまたは証明書載置コンベヤ５の上方には、カードまたは証明書８のワイピング接触に圧力をかけることで、カードまたは証明書８とワイピングコンベヤ１５との接触を支持する加圧パッド９が設けられる。加圧パッド９はさらに、作動室２０を封止することにも有利である。加圧パッド９としては、シリコン・フッ素ゴムなどの弾性を有するとともに、高温でガスを揮発しない材料を用いてもよい。図４に示す実施例では、４つの輪を設置してワイピングコンベヤ１５を引っ張ることができ、作動室２０は４つの輪で囲まれる空間内に位置することができる。しかしながら、これは必須なことではない。作動室２０の構造は図１における作動室２０の構造に類似している。
【００２９】
図１及び図４の構造では、前記ワイピングサンプル採集部及び熱脱着部は前記作動室２０内に収納されて外部環境と隔離される。ワイピングサンプル採集・サンプル導入装置は、作動室２０内にあり作動室２０内のガスを濾過や清掃するためのガス濾過装置を含んでもよく、作動室２０内の物質が周囲環境へ漏れることを防止する。
【００３０】
一の実施例において、熱脱着部は熱脱着室１６を含み、前記熱脱着室１６は、前記ワイピングコンベヤ１５が前記熱脱着室１６に入るためのワイピングコンベヤ１５入口と、前記ワイピングコンベヤ１５が前記熱脱着室１６から離れるためのワイピングコンベヤ１５出口と、熱脱着室１６内のサンプルを導出するためのサンプル出口２１とを含む。前記熱脱着室１６は、ワイピングコンベヤ１５出口に配置され、ワイピングコンベヤ１５出口を封止するとともにワイピングコンベヤ１５出口を通過する前記ワイピングコンベヤ１５を清掃するためのワイピングコンベヤ１５出口封止材を含む。ワイピングコンベヤ１５出口封止材はコルゲート状ソフトジャケットであってもよい。コルゲート状ソフトジャケットとしては、シリコン・フッ素ゴムなどの弾性を有するとともに、高温でガスを揮発しない材料を用いてもよい。熱脱着室１６には、キャリアガスを熱脱着室１６に導入するためのキャリアガス入口２２と、熱脱着されたサンプルをキャリアガスとともに下流にある分析部品、例えばクロマトグラフィーカラム、ＩＭＳ又はＭＳなど他の分析部品に持ち込むためのサンプル出口２１とを含んでもよい。
【００３１】
本発明の実施例によると、作動室２０内で封止環境を形成することを第一級封止と見なすことができ、熱脱着部で封止環境を再び形成することを第二級封止と見なすことができる。２級封止により、熱脱着室１６内で約０．０１ＭＰａ〜０．０６ＭＰａ気圧の気体封止を形成でき、サンプル出口２１の下流にクロマトグラフィーカラムが接続されると、一般的に、約０．０６ＭＰａ気圧にあるキャリアガスは熱脱着されたサンプルを伝統的な毛細管クロマトグラフィーカラムに持ち込むことができ、ＭＣＣ柱サンプル導入について、一般的に０．０１ＭＰａ気圧だけで済む。２級封止により熱脱着室１６に対する封止を実現できることで、熱脱着部１６により脱着されたサンプルが周囲環境へ漏れることを防止するとともに、脱着されたサンプルがサンプル出口２１を介して下流にあるクロマトグラフィーカラム又は他の分析部品に入ることを保証する。例えば、図４に示す実施例において、作動室２０には、電気制御線入口２３、作動室２０内を浄化するための気体濾過装置などがさらに設けられてもよい。
【００３２】
熱脱着部は、熱脱着部内部温度を所望の温度に制御するための温度制御装置をさらに含んでもよく、前記温度制御装置は、前記熱脱着室１６内に設けられる加熱装置と、温度を検出するための温度センサと、熱脱着室１６内の熱を隔離するための保温層とを含む。具体的には、図４に示すように、熱脱着室１６は、加熱部材１７と、保温ジャケット１８と、温度センサ１９とを含み、それらは温度制御装置を構成し、コンピュータの制御で熱脱着室１６を所望の温度にし、サンプルを充分に脱着させる。保温ジャケット１８としては、厚さ約２０ｍｍのエアロゲル、ガラスやセラミックウールを用いてもよい。前記温度制御システムは熱脱着室１６の温度（２５℃〜２００℃）を制御することにより、ワイピングコンベヤ１５上のサンプルを脱着することを確保するとともに、サンプル出口２１を介してそれに連なる下流の部品、例えば分析部品に入らせる。
【００３３】
本発明の一の実施例は、カードまたは証明書８の情報を読取するためのカードまたは証明書読取機器であって、請求項１に記載のワイピングサンプル採集・サンプル導入装置をさらに含み、カードまたは証明書８がカードまたは証明書載置コンベヤ５に配置されて搬送されるとき、カードまたは証明書読取機器がカード又は証明書８の情報を読取するのと同時やその後に、ワイピングサンプル採集・サンプル導入装置がカードまたは証明書８の表面のサンプルをワイピングして取得するように配置されるカードまたは証明書読取機器を提供し、被検者のカードまたは証明書情報と有害物質の安全検査情報とを関連させることができる。
【００３４】
本発明の一の実施例は、上記カードまたは証明書読取機器を含むゲート機器を提供する。
【００３５】
本発明による自動ワイピングサンプル採集・サンプル導入装置は、ゲートに配置されることができ、その動作フローは以下のとおりである。コンピュータによりモータ及び位置センサ（未図示）を制御してカードまたは証明書溝６の位置をタイミングに従って制御する。通行者がゲート入口に到達すると、カードまたは証明書８をゲートのカードまたは証明書入れ領域７の真下にあるカードまたは証明書溝６内に置いてから、カードまたは証明書載置コンベヤ５はカードまたは証明書８をワイピング領域１１に持ち込むように制御され、ワイピング領域１１に入ったカードまたは証明書８はそれと相対運動するワイピングコンベヤ１５によってワイピングされ、ワイピングされたカードまたは証明書８はカードまたは証明書読取領域１２に搬送され、自動的に読取されてから通行者により取り出され、そして次のサイクルに入る。一方、カードまたは証明書８をワイピングしたワイピングコンベヤ１５は熱脱着室１６に入り、ワイピングされたサンプルを迅速的脱着させ、脱着されたサンプルはキャリアガス入口２２からのキャリアガスとともにサンプル出口２１を介して下流にある他の分析検出部材に入る。このように循環して、通行者の一人一人に対してサンプル採集することを実現できる。
【００３６】
本発明によるサンプル採集方法は、「迅速、サイクル、全自動」というメリットを同時に有し、通行者の一人一人に対して迅速的にサンプル採集することを実現でき、従来の手動的サンプル採集による低効率でスポットチェックしか行えない不備を解消し、検査効率を向上させ、空港／ハイウェイ／鉄路改札口、大型会議入場などにおける人員通行の現場迅速検査に適し、痕跡量物質税関通過検査の新規モードを見出した。
【００３７】
本発明の全体的構想による一部の実施例は既に表示や説明されているが、当業者であれば理解できるように、本発明の全体的構想の原則と精神を逸脱しない限り、これら実施例を変更することができ、本発明の範囲は、請求の範囲及びその同等物によって限定される。
【符号の説明】
【００３８】
１  輪
２  輪
５  カードまたは証明書載置コンベヤ
６  カードまたは証明書溝
７  カードまたは証明書入れ領域
８  カードまたは証明書
９  加圧パッド
１３  第一輪
１４  第二輪
１５  ワイピングコンベヤ
１６  熱脱着室
１７  加熱部材
１８  保温ジャケット
１９  温度センサ
２０  作動室
２１  サンプル出口
２２  キャリアガス入口
２３  電気制御線入口
【図１】
2018112549.tif 000003
【図２】
2018112549.tif 000004
【図３】
2018112549.tif 000005
【図４】
2018112549.tif 000006
【図５】
2018112549.tif 000007
【図６】
2018112549.tif 000008